(57)【要約】      （修正有）【課題】屋根の上で谷樋や軒樋等の樋に集まった雨水を竪樋に流す際の、樋と樋の接続部分に用いるドレン具であって、取付け容易でかつ大量生産可能なドレン具を提供する。【解決手段】外周にネジ６５を備えた上部鍔管６０と、内周にネジ７５を備え、鍔７１に舌片７８を備え、上部鍔管との間に屋根上の雨水を集積する樋の谷樋２０に穿った孔２１を介在させ、樋の底壁と舌片とを係合させて上部鍔管と螺合する下部鍔管７０とを備えたドレン５０によって課題を解決する。【選択図】図２
0003224196.tif 000002
【実用新案登録請求の範囲】
【請求項１】
外周にネジ部を備えた上部鍔管と、
内周にネジ部を備え、
鍔に舌片を備え、
前記上部鍔管との間に屋根上の雨水を集積する樋の底壁に穿った孔を介在させ、前記樋の底壁と前記舌片とを係合させて前記上部鍔管と螺合する下部鍔管とを備えたドレン具。
【請求項２】
前記樋の底壁の前記孔が前記孔の円周方向外方に向けて切り欠いた小さな切欠を備え、
前記切欠と前記下部鍔管の鍔に備えた舌片が係合し、
前記樋の底壁を前記舌片が挟んで止めることを特徴とする請求項１に記載のドレン具。
【請求項３】
前記下部鍔管が、寸胴本体と上方の鍔との間にテーパを備え、
前記樋の底壁と前記舌片が挟んで止めた箇所が、前記上部鍔管と、前記下部鍔管の前記テーパによって形成される空間に収まることを特徴とする請求項１又は請求項２のいずれかに記載のドレン具。
【請求項４】
前記舌片が、下部鍔管の鍔に設けた孔に留め付けてあることを特徴とする請求項１から請求項３のいずれかに記載のドレン具。
【請求項５】
構成素材が樹脂であることを特徴とする請求項１から請求項４のいずれかに記載のドレン具。
【請求項６】
外周にネジ部を備えた上部鍔管と、
内周にネジ部を備え、
前記上部鍔管との間に屋根上の雨水を集積する樋の底壁に穿った孔を介在させ、前記樋の底壁と、前記下部鍔管に取り付けた舌片とを係合させて前記上部鍔管と螺合する下部鍔管とを備えたドレン具。
【請求項７】
前記樋の底壁の前記孔が前記孔の円周方向外方に向けて切り欠いた小さな切欠を備え、
前記切欠と前記下部鍔管の鍔に取り付けた舌片が係合し、
前記樋の底壁を前記舌片が挟んで止めることを特徴とする請求項６に記載のドレン具。
【請求項８】
前記下部鍔管が、寸胴本体と上方の鍔との間にテーパを備え、
前記樋の底壁と前記舌片が挟んで止めた箇所が、前記上部鍔管と、前記下部鍔管の前記テーパによって形成される空間に収まることを特徴とする請求項６又は請求項７のいずれかに記載のドレン具。
【考案の詳細な説明】
【技術分野】
【０００１】
この考案は、屋根の上で谷樋や軒樋等の樋に集まった雨水を竪樋に流す際の、樋と樋の接続部分に用いるドレンに関する。
【背景技術】
【０００２】
特許文献１ではドレンは次のように取付けていた（図９）。既設の谷樋を交換する場合を例に説明する。まず、屋根材のうち谷樋の周辺を剥いで古い谷樋を取り外し、上方に向けて開口する竪樋（３９０）に下部鍔管（３７０）をはめ込む。次に、古い谷樋のあった場所に新しい谷樋（３２０）を載せる。次に、載せた谷樋のうち裏側に竪樋の開口が存する箇所（すなわち下部鍔管（３７０）をはめ込んだ箇所）に、上部鍔管のネジの外径と同様の大きさの孔（３２１）を開けるが、その際、孔を開ける作業と同時並行して一部に舌片（３２６）を設ける。この作業は、樋を屋根に載せる前に予めできるものではなく、屋根の上で、金属切断用のハサミを使ってこれを行う必要があり、単純な丸ではなく舌片を設けて切り抜くのは、熟練の技術者にあっても大きな労力を伴なう作業であった。
【０００３】
下部鍔管（３７０）には、縦方向に延びる溝（３７５）が設けてある。次に、谷樋に設けた孔（３２１）の舌片（３２６）を下方に向けて折り曲げて下部鍔管の溝（３７５）に嵌める。次に、上部鍔管（３６０）を上方からはめ込んで下部鍔管（３７０）にねじ止めする。上部鍔管（３６０）を下部鍔管（３７０）にねじ止めする際、舌片が下部鍔管にはめ込まれているために下部鍔管が谷樋に対して回転することがなく、下部鍔管が空回りしないので、ねじ止めがスムーズにできる。
【０００４】
しかし、上記従来の手段による場合、前述のとおり、谷樋に舌片を伴う孔を開ける作業は非常に困難である、という問題があった。また、下部鍔管に溝を設けるために下部鍔管はある程度の厚みが必要となり、下部鍔管は重量の重いものとなった。重量が重いことは、作業性に問題があると同時に製品が高価なものとならざるを得ないという問題があった。
【先行技術文献】
【特許文献】
【０００５】
【特許文献１】実用新案登録第２５３１２３１号公報
【考案の概要】
【考案が解決しようとする課題】
【０００６】
谷樋に開ける孔に舌片を設ける必要がなくなるために、谷樋に穴を開ける作業が容易となり、かつ、樋と下部鍔管が空回りすることがなく、容易にドレンを取り付けることができるドレンを提供することを課題とする。
【０００７】
また、かつ大量生産により安価に製造可能なドレンを提供することを課題とする。また、下部鍔管を厚いものにすることが不要なために軽量で安価なドレンを提供することを課題とする。
【課題を解決するための手段】
【０００８】
（１）外周にネジ部を備えた上部鍔管と、内周にネジ部を備え、鍔に舌片を備え、
前記上部鍔管との間に屋根上の雨水を集積する樋の底壁に穿った孔を介在させ、前記樋の底壁と前記舌片とを係合させて前記上部鍔管と螺合する下部鍔管とを備えたドレン具によって課題を解決する。
（２）前記樋の底壁の前記孔が前記孔の円周方向外方に向けて切り欠いた小さな切欠を備え、前記切欠と前記下部鍔管の鍔に備えた舌片が係合し、前記樋の底壁を前記舌片が挟んで止めることを特徴とする（１）に記載のドレン具によって課題を解決する。
（３）前記下部鍔管が、寸胴本体と上方の鍔との間にテーパを備え、前記樋の底壁と前記舌片が挟んで止めた箇所が、前記上部鍔管と、前記下部鍔管の前記テーパによって形成される空間に収まることを特徴とする請求項１又は請求項２のいずれかに記載のドレン具によって課題を解決する。
（４）前記舌片が、下部鍔管の鍔に設けた孔に留め付けてあることを特徴とする（１）から（３）のいずれかに記載のドレン具によって課題を解決する。
（５）構成素材が樹脂であることを特徴とする（１）から（４）のいずれかに記載のドレン具によって課題を解決する。
（６）外周にネジ部を備えた上部鍔管と、内周にネジ部を備え、前記上部鍔管との間に屋根上の雨水を集積する樋の底壁に穿った孔を介在させ、前記樋の底壁と、前記下部鍔管に取り付けた舌片とを係合させて前記上部鍔管と螺合する下部鍔管とを備えたドレン具によって課題を解決する。
（７）前記樋の底壁の前記孔が前記孔の円周方向外方に向けて切り欠いた小さな切欠を備え、前記切欠と前記下部鍔管の鍔に取り付けた舌片が係合し、
前記樋の底壁を前記舌片が挟んで止めることを特徴とする（６）に記載のドレン具によって課題を解決する。
（８）前記下部鍔管が、寸胴本体と上方の鍔との間にテーパを備え、前記樋の底壁と前記舌片が挟んで止めた箇所が、前記上部鍔管と、前記下部鍔管の前記テーパによって形成される空間に収まることを特徴とする（６）又は（７）のいずれかに記載のドレン具によって課題を解決する。
【０００９】
特許文献１のドレン具では舌片が樋に設けてあったのに対し、本願の考案では舌片を下部鍔管に設ける。「屋根上の雨水を集積する樋」とは、例えば、谷樋や軒樋のことである。また、水があふれることを防ぐために設けられたオーバーフロー管も本願に係る考案の対象である。いずれも、底壁に、曲面でなく平坦な面が存することが必要である。そのような平坦な面に、本願の下部鍔管と取り付けるための孔を開ける。ドレン具の素材はステンレス、銅、アルミニウム、ガルバリウム鋼板（登録商標）、樹脂等、なんでもよい。
【００１０】
また、特許文献1のドレン具では、下部鍔管と上部鍔管が空回りするのを防ぐための手段として、特許文献１にみられたような螺子溝を縦方向に遮る溝を用いずに、樋の底壁に設けた切欠を用いる。その結果、下部鍔管の厚みを厚くする必要がなくなる。また、樋の底壁に設けた切欠は、舌片が引っかかれば足りるため、孔の円周方向外方に向けて切り欠いた小さな切欠で足りる。よって、切欠の形成は極めて容易である。
【００１１】
「前記下部鍔管に取り付けた舌片」とある通り、舌片の取り付けられていない既存の下部鍔管に、後から舌片を取り付けるドレン具も、本願考案の対象である。舌片を取り付ける方法は、スポット溶接やはんだ付け、接着剤によるもの、を含む。また、舌片を取り付ける方法は、下部鍔管の鍔に設けた孔に留めつけるのでも構わない。
【考案の効果】
【００１２】
本願に係るドレン具であっては、樋の底壁に開ける孔に舌片を設ける必要がない。孔には小さな切欠きを設けるのみであり、作業は容易である。
【００１３】
また、樋の底壁の切欠きと下部鍔管に設けた舌片が係合することにより、上部鍔管を取り付ける際に空回りしない。
【００１４】
特許文献１のドレン具では舌片を樋の底壁に設けたため、大量生産ができなかったところ、本願考案では、舌片をあらかじめ下部鍔管に取り付けておくことができるため、ドレン具の大量生産が可能である。
【００１５】
さらに、舌片を備えていない既存のドレン具に、舌片を取り付けることにより本願考案のドレン具として機能させることもできる。そのようにすることにより、本願考案のドレン具の普及が容易となる。
【００１６】
下部鍔管の鍔に舌片を取り付けるにあたり、鍔に設けた孔を利用することにより、はんだ付以外の方法で鍔に舌片を取り付けることができる。舌片を取り付ける方法をこのようにすることにより、金属製のドレン具のみならず、樹脂製のドレンにも舌片を取り付けることができる。
【００１７】
テーパを設けることにより、下部道管の舌片を樋の底壁に取り付ける作業を行うための空所を得ることができ、ハサミを用いて行う開口作業等がし易くなる。
【００１８】
また、テーパを設けることにより、下部鍔管の鍔と樋の底壁とが接触する面積を減らすことができ、毛管現象による漏水を減らすことができる。
【図面の簡単な説明】
【００１９】
【図１】本願のドレンの取付位置を示す。
【図２】本願実施例１を示す。
【図３】本願実施例１を示す。
【図４】本願実施例１を示す。
【図５】本願実施例２を示す。
【図６】本願実施例２を示す。
【図７】下部鍔管の鍔に舌片を取り付けるための他の手段を示す。本願実施例１，２、３のいずれにも適用できる。
【図８】下部鍔管の鍔に舌片を取り付けるための他の手段を示す。本願実施例１，２、３のいずれにも適用できる。
【図９】従来例を示す。
【考案を実施するための形態】
【００２０】
［実施例１から実施例３と図面の関係について］
本考案の好適な実施の形態について、図面との関係を含めて説明する。
実施例１は下部鍔管にテーパが設けてあり、谷樋の底壁に舌片を止め付ける箇所を、テーパにより構成された空所に収めた例である（図２、図３、図４）。
実施例２は下部鍔管にテーパはないために実施例１のような空所がない例である（図５、図６）。
図７と図８には、下部鍔管の鍔に舌片を取り付けるための他の手段を示す。図７と図８に示す舌片の取り付けかたは、実施例１と実施例２のいずれにも適用できる。
実施例１と実施例２はいずれも舌片体が下部鍔管に予め取り付けてあるのに対し、実施例３では、舌片体に予め取り付けられていない。実施例３では、既成のドレン具に舌片体を取り付ける。舌片体の取り付け方は、図２、図５、図７、図８のいずれに示すやり方でも構わない。
【実施例１】
【００２１】
実施例１は下部鍔管にテーパが設けてあり谷樋の底壁に舌片を止め付ける箇所を、テーパにより構成された空所に収めた例である。図１を参照して、ドレン（５０）は、谷樋（２０）の底壁と竪樋（３０）が接続する箇所に用いる。谷樋（２０）は、図１に示す通り、複数の屋根材（１０）の谷間にあり、複数の屋根材から流れる雨水を集積して下方に流す。図１のような、谷樋（２０）と竪樋（３０）と接続する箇所は、一つの建造物（主に家屋）に複数ある。谷樋で集積された雨水は、竪樋によって、さらに下方に排水される。図１では谷樋を示すが、軒樋も同様である。すなわち、軒樋で集積された雨水は、ドレン（５０）を介して竪樋（３０）に流れ、さらに下方に排水される。実施例１のドレン（５０）は、谷樋のみならず、軒樋にあっても同様に用いることができる。
【００２２】
図２を参照して、実施例１のドレン（５０）は、上部鍔管（６０）、下部鍔管（７０）を備える。
【００２３】
下部鍔管（７０）は、上方に鍔（７１）を備え、下方はネジ（７５）になっている。鍔（７１）とネジ（７５）の間に、テーパ（７３）を備える。舌片体（７７）はＴ字型であり、鍔（７１）に取り付けられ、舌片（７８）が管の内方に向けて延びている。
【００２４】
上部鍔管（６０）は、上方に鍔（６１）を備え、下方はネジ（６５）になっている。ドレンの取り付け方を、既設の谷樋を交換する場合を例に説明する。まず、屋根材のうち谷樋の周辺を剥いで古い谷樋を取り外し、上方に向けて開口する竪樋（９０）に下部鍔管（７０）を嵌め込む。次に、古い谷樋のあった場所に新しい谷樋（２０）を載せる。谷樋を上から槌でトントンたたいて、下部鍔管を嵌め込んだ箇所をみつける。次に、載せた谷樋のうち裏側に下部鍔管を嵌め込んだ箇所（すなわち竪樋の開口が存する箇所）に、孔（２１）を開ける。この際、さらに孔に、下部鍔管の舌片の存する位置に合わせて、孔の円周方向外側に向けて小さく切り欠いた切欠き（２２ａ、２２ｂ）を設ける。このような、孔の円周方向外側に向けた小さな切欠きを設ける作業は、特許文献１に記載の従来技術にみられるような、孔の円周方向内側に向けた大きな切欠きである舌片と比較すると、作業がはるかに容易である。
【００２５】
次に、図３と図４を参照して、下部鍔管（７０）の、谷樋（２０）の底壁への取り付け方を説明する。
【００２６】
下部鍔管を谷樋の底壁に取り付けるにあたり、まず、下部鍔管（７０）の配置に関し、下部鍔管（７０）に設けた舌片（７８）が、谷樋（２０）に設けた切欠き（２２ａ，２２ｂ）と重なるように（図３の（ａ）に示す通りに）配置されていることを確認する。谷樋（２０）の底壁のうち、下部鍔管と重ねた際に下部鍔管の鍔（７１）のある個所とテーパ（７３）のある個所に対応する箇所には、孔（２１）が開いていない。
【００２７】
谷樋の底壁のうち、下部鍔管のテーパに相当する箇所を、槌でトントンたたいて、谷樋（２０）の底壁が下部鍔管のテーパ（７３）に沿うように、谷樋（２０）の底壁を延ばす。谷樋（２０）の底壁が下部鍔管のテーパ（７３）に沿うように延ばす際、下部鍔管の舌片（７８）は、谷樋（２０）の底壁と下部鍔管のテーパ（７３）に挟まれた状態で下方に向けて折れ曲がる（図４の（ｂ））。
【００２８】
次に、舌片（７８）を上方に折り曲げて谷樋（２０）の底壁を挟み留める（図３の（ｃ）と図４の（ｃ））。
【００２９】
次に、図４の（ｄ）に示す通り、上部鍔管６０を上方より差し入れて、上部鍔管（６０）を下部鍔管（７０）にねじ止めする。その結果、下部鍔管のテーパ（７８）と上部鍔管（６０）によって空所（６３）が形成される。舌片（７８）を上方に折り曲げて谷樋（２０）の底壁を挟み留めた部位は空所（６３）の中に存するため、ドレン（５０）において生じる隙間は最小限となる。また、テーパ（７８）があることによって下部鍔管（７０）の鍔と樋の底壁とが接触する面積は小さくなる。その結果、毛管現象による漏水を減らすことができる。
【００３０】
これらの過程において、孔（２１）に設けた切欠（２１ａ、２１ｂ）と舌片（７８）は係合している結果（図３の（ｂ）と（ｃ））、谷樋（２０）が下部鍔管（７０）との関係で水平方向に回転することがない。図３の（ｂ）に示す通り、舌片が長い場合には、余分な舌片（（ｂ）に斜線で示す箇所）を切り落とす。図４では、舌片は適度な長さである。適度な長さの舌片とは、舌片（７８）を上方に折り曲げて谷樋（２０）の底壁を挟み留めた際に、舌片が底壁を挟み留めた部位が空所（７３）に納まる長さである。
【実施例２】
【００３１】
図５と図６により、実施例２を説明する。図５に示す通り、実施例２では、下部鍔管（１７０）の鍔（１７１）は、実施例１にみられるようなテーパを備えない。鍔（１７１）には、図５に示す通りに舌片（１７７）が取り付けてある。ドレンの取り付け方は図６に示す通りである。既設の谷樋を交換する場合を例に説明すると、古い谷樋を取り外し、上方に向けて開口する竪樋に下部鍔管（１７０）を嵌め込み、古い谷樋のあった場所に新しい谷樋（１２０）を載せ、谷樋を上から槌でトントンたたいて下部鍔管を嵌め込んだ箇所をみつけ、載せた谷樋のうち裏側に下部鍔管を嵌め込んだ箇所（すなわち竪樋の開口が存する箇所）に、孔（１２１）を開ける（図６（ａ））。この際、さらに孔に、下部鍔管の舌片の存する位置に合わせて、孔の円周方向外側に向けて小さく切り欠いた切欠き（図示せず）を設ける。次に、切欠きの位置で舌片（１７７）を上方に折り曲げ、１８０度折り返して、止める（図６（ｂ））。次に上部鍔管（１６０）を上方より差し入れて、上部鍔管（１６０）を下部鍔管（１７０）にねじ止めする（図６（ｃ））。
【実施例３】
【００３２】
実施例３は、既成のドレン具に舌片体を取り付ける例であり、下部鍔管にドレン具が予め取り付けられていない。舌片体の取り付け方は、はんだ付やスポット溶接（図２、図５）、鍔に設けた孔を利用する方法（図７、図８）のいずれでもよい。ハンダ付け又はスポット溶接は主に金属製の下部鍔管に適し樹脂製のドレン具には適さない一方、鍔に設けた孔を利用する方法は金属製のドレン具と樹脂製のドレン具のいずれにも適す。
【００３３】
図７では、下部鍔管（２７０）の鍔（２７１）には、孔が一つ開けてある（２７４）。舌片体（２７７）は、その一端が孔（２７４）に巻きつけられて留め付けてある。孔は、入口の方が出口よりも大きいくさび型とし、舌片体（２７７）を孔に入れ込むと出口で締め付けられることによりしっかり留めつけられる。ドレンの最終使用者（谷樋にドレンを取り付ける者）の手に渡る際には舌片体を留めつけるための孔のみ空いた状態とし、ドレンの最終使用者において舌片を取り付ける、といった利用方法もできる。孔が一つのものは、樹脂製のドレン具に適する。
【００３４】
図８では、下部鍔管（２７０）の鍔（２７１）には、孔が二つ開けてある（２７４ａ、２７４ｂ）。舌片体（２７７）は、その一端が二股に分かれており、鍔（２７１）の二つの孔に一つ巻き付けられ、留め付けてある。具体的には、鍔（２７１）の二つの孔の上方から舌片体の先端部を挿入し、下方から上方に向けて鍔のへりと接する位置で下方から上方に向けて折り曲げ、そのまま、鍔に沿うように止める。孔が二つのものは、堅固に止めることができ、金属製のドレン具に適する。
【符号の説明】
【００３５】
１０  屋根材
２０  谷樋
２１  孔
２２ａ、２２ｂ  切欠
３０  竪樋
５０  ドレン
６０  上部鍔管
６１  鍔
６３  空所
６５  ネジ
７０  下部鍔管
７１  鍔
７３  テーパ
７５  ネジ
７７  舌片体
７８  舌片
９０  竪樋
１２０  谷樋
１２１  孔
１７０  下部鍔管
１７１  鍔
１７７  舌片体
２７０  下部鍔管
２７１  鍔
２７４  孔
２７４ａ、２７４ｂ  舌片体基部
２７７  舌片
３２０  谷樋
３２１  孔
３２６  舌片
３５０  ドレン
３６０  上部鍔管
３７０  下部鍔管
３７５  溝
３９０  竪樋
【図１】
0003224196.tif 000003
【図２】
0003224196.tif 000004
【図３】
0003224196.tif 000005
【図４】
0003224196.tif 000006
【図５】
0003224196.tif 000007
【図６】
0003224196.tif 000008
【図７】
0003224196.tif 000009
【図８】
0003224196.tif 000010
【図９】
0003224196.tif 000011
【手続補正書】
【提出日】令和1年9月26日(2019.9.26)
【手続補正１】
【補正対象書類名】実用新案登録請求の範囲
【補正対象項目名】全文
【補正方法】変更
【補正の内容】
【実用新案登録請求の範囲】
【請求項１】
外周にネジ部を備えた上部鍔管と、
内周にネジ部を備え、
鍔に舌片を備え、
前記上部鍔管との間に屋根上の雨水を集積する樋の底壁に穿った孔を介在させ、前記樋の底壁と前記舌片とを係合させて前記上部鍔管と螺合する下部鍔管とを備えたドレン具。
【請求項２】
前記樋の底壁の前記孔が前記孔の円周方向外方に向けて切り欠いた小さな切欠を備え、
前記切欠と前記下部鍔管の鍔に備えた舌片が係合し、
前記樋の底壁を前記舌片が挟んで止めることを特徴とする請求項１に記載のドレン具。
【請求項３】
前記下部鍔管が、寸胴本体と上方の鍔との間にテーパを備え、
前記樋の底壁と前記舌片が挟んで止めた箇所が、前記上部鍔管と、前記下部鍔管の前記テーパによって形成される空間に収まることを特徴とする請求項１又は請求項２のいずれかに記載のドレン具。
【請求項４】
前記舌片が、下部鍔管の鍔に設けた孔に留め付けてあることを特徴とする請求項１から請求項３のいずれかに記載のドレン具。
【請求項５】
構成素材が樹脂であることを特徴とする請求項１から請求項４のいずれかに記載のドレン具。
【請求項６】
外周にネジ部を備えた上部鍔管と、
内周にネジ部を備え、
前記上部鍔管との間に屋根上の雨水を集積する樋の底壁に穿った孔を介在させ、前記樋の底壁と、下部鍔管に取り付けた舌片とを係合させて前記上部鍔管と螺合する下部鍔管とを備えたドレン具。
【請求項７】
前記樋の底壁の前記孔が前記孔の円周方向外方に向けて切り欠いた小さな切欠を備え、
前記切欠と前記下部鍔管の鍔に取り付けた舌片が係合し、
前記樋の底壁を前記舌片が挟んで止めることを特徴とする請求項６に記載のドレン具。
【請求項８】
前記下部鍔管が、寸胴本体と上方の鍔との間にテーパを備え、
前記樋の底壁と前記舌片が挟んで止めた箇所が、前記上部鍔管と、前記下部鍔管の前記テーパによって形成される空間に収まることを特徴とする請求項６又は請求項７のいずれかに記載のドレン具。